(57)【要約】【課題】  寝床面に横臥する利用者の皮膚に対して、身体形状に応じた寝床面形状とすることで寝心地がよく、また下半身麻痺のような寝たきり状態であっても、床ずれ発生が防止できる介護用ベッドを提供すること。【解決手段】  本発明による介護用ベッドは、寝台枠１０に対して、断面略円形又は円環状の棒状マット部材２０を一層であって、かつ複数並べて寝床面を形成すると共に、マット部材２０とその隣接するマット部材２０との間に形成された隙間から汚水や排便を下方に放出できるように構成した介護用ベッドであって、マット部材２０は、利用者と接触する表層部２１を、前記利用者による負荷荷重対応の窪みを形成する程度の変形性を有する防水性部材で構成し、マット部材２０の剛性を前記利用者の荷重によっては実質的に撓み量を前記利用者が感じない程度に構成したことを特徴としている。【選択図】  図１
2008220609.tif 000002
【特許請求の範囲】
【請求項１】
寝台枠に対して、断面形状が略円形・略楕円形・略円環状・蒲鉾状又はドーム型の棒状マット部材を一層であって、かつ複数並べて寝床面を形成すると共に、前記マット部材とその隣接するマット部材との間に形成された隙間から汚水や排便を下方に放出できるように構成した介護用ベッドであって、
前記マット部材は、利用者と接触する表層部を、前記利用者による負荷荷重対応の窪みを形成する程度の変形性を有する防水性部材で構成し、前記マット部材の剛性を前記利用者の荷重によっては実質的に撓み量を前記利用者が感じない程度に構成したこと、
を特徴とする介護用ベッド。
【請求項２】
前記寝台枠の前記マット部材を支持する高さが大略一定であって、
前記利用者の首部・背中部・太腿部・腿部に関しては標準径のマット部材を配し、
前記利用者の臀部を含む頭部・肩部・踵部の少なくとも一部に対応する部位には、前記標準径のマット部材と比較して外径の小さなマット部材を配すること、
を特徴とする請求項１に記載の介護用ベッド。
【請求項３】
前記マット部材には、
前記利用者の首部・背中部・太腿部・腿部に関しては、前記利用者の荷重作用時には負荷荷重対応の窪みを形成すると共に、前記利用者の荷重除去時には形成された窪みが回復する変形回復機能が標準の小変形表層部を配し、
前記利用者の臀部を含む頭部・肩部・踵部の少なくとも一部に対応する部位には、前記小変形表層部比較して前記変形回復機能の大きな大変形表層部を配するように構成すること、
を特徴とする請求項１又は請求項２に記載の介護用ベッド。
【請求項４】
前記マット部材は、前記芯部の軸方向について、
前記寝台枠の横幅に対して大略一杯に前記表層部を有する全幅マット部材と、
前記利用者の胴体幅に対して、当該胴体幅相当の前記表層部を有する胴体用マット部材と、
前記利用者の胴体の両側に位置する両腕に対して、当該両腕相当の位置に前記表層部を有し、当該胴体幅相当の部位には芯部が形成されている両腕用マット部材と、
の三類型を有し、
肩又は肘に対応する部位については胴体用マット部材を装着し、肩甲骨又は股に対応する部位については両腕用マット部材を装着すること、
を特徴とする請求項１乃至請求項３の何れか１項に記載の介護用ベッド。
【請求項５】
前記マット部材は、前記寝台枠に対して回動自在に支持され、
前記寝台枠のマット部材支持部は、支持する前記マット部材に対して高さ方向又は隣接マット部材方向の少なくとも一方について振動可能に支持し、若しくは支持する前記マット部材を所定の態様で回動又は回転させ、当該振動、回動又は回転によって、前記利用者に対する皮膚マッサージ機能を有するように構成されたこと、
を特徴とする請求項１乃至請求項４の何れか１項に記載の介護用ベッド。
【請求項６】
前記マット部材が、前記寝台枠に形成された凹部に支持されると共に、
前記凹部の上部に、前記凹部を覆う状態と開いた状態との間で開閉するストッパ部を設け、
前記ストッパ部を開いた状態で、前記凹部に対する前記マット部材の着脱を行い、
前記ストッパ部を閉じた状態で、前記凹部と前記ストッパ部とにより前記マット部材を挟むように構成されたこと、
を特徴とする請求項１乃至請求項５の何れか１項に記載の介護用ベッド。
【請求項７】
前記マット部材は、前記表層部で覆われた内部に、流体注入室を有し、
前記流体注入室に対して流体を注入し、若しくは注入された流体を吸引して、前記マット部材の径を調節し、若しくは前記表層部の変形回復機能を調節する流体調節部を設け、
前記利用者の床ずれ発生防止を行うように、前記流体調節部によって、前記流体注入室への流体注入量を調節すること、
を特徴とする請求項１乃至請求項６の何れか１項に記載の介護用ベッド。
【請求項８】
前記マット部材は、前記表層部で覆われた内部に、流体注入室を有し、
前記流体注入室に対して蓄熱材を注入し、
前記利用者に対する保温や保冷等の温度調節に適合するように、前記蓄熱材の特性を選定すること、
を特徴とする請求項１乃至請求項７の何れか１項に記載の介護用ベッド。
【請求項９】
前記マット部材は、前記表層部に抗菌処理又は殺菌処理の少なくとも一方を行ったことを特徴とする請求項１乃至請求項８の何れか１項に記載の介護用ベッド。
【請求項１０】
前記寝台枠は、当該枠の内部に網状マットレスを形成する幅連結部材と縦連結部材が複数装着され、
前記幅連結部材と縦連結部材の設置間隔は、前記マット部材の装着を阻害しないように定めたこと、
を特徴とする請求項１乃至請求項９の何れか１項に記載の介護用ベッド。
【発明の詳細な説明】
【技術分野】
【０００１】
本発明は、一般の被介護者のほか、下半身麻痺のような重度障害者や寝たきり老人等が使用するのに適した介護用ベッドに関し、特に病院や介護施設に用いても良く、また一般家庭においても広く利用できると共に、入浴時や排便時等における介護者の体力的負担を軽減させる介護用ベッドに用いて好適な、マットを用いた介護用ベッド装置に関する。
【背景技術】
【０００２】
従来、自分で入浴作業のできる状態の入院患者に対して、一時的に要介護状態になった場合の措置としては、病院では緊急避難的に介護者が当該患者を抱きかかえて浴槽に入れることが行われている。しかし、身体障害者や寝たきり老人のように、自力での入浴できない状態が恒常的な被介護者を入浴させる場合、介護者が被介護者を抱きかかえて浴槽に入れるのでは、介護者の負担が大きいという課題があった。
【０００３】
また、被介護者を担架に乗せ、担架ごと又は担架から降ろして被介護者を浴槽に入れることも行われている。この場合、担架は複数の介護者の共同作業によるため、抱き抱える場合に比較して介護者の負担は小さくなる。しかし、介護サービスの運営者からみると、一人の被介護者に複数の介護者が必要になり、介護コストの負担が大きくなるという課題があると共に、入浴頻度も例えば週一回又は二回のように少なくせざるを得ないという課題があった。また、被介護者自身も、ベッドから浴槽への移動、浴槽からベッドへの移動のたびに、滑り落ちるおそれがないかと不安感を覚えるという課題があった。
【０００４】
そこで、寝台の被介護者横臥面（寝床面）をハンモック式または動力機構を介して下降できるようにしておき、被介護者を寝かせたまま寝床面を下降させて、寝台下部に設置した浴槽内へ浸漬する介護用ベッド装置が知られている（特許文献１）。
【０００５】
しかし、寝床面を下降させて、寝台下部に設置した浴槽内へ浸漬する介護用ベッド装置では、被介護者の充分な同意を得てゆっくり作業をするのでは、作業時間が多大に掛かるため、介護者側の都合によって被介護者を無理に移動させる場合も少なくない。すると、被介護者に不快感や恐怖感を抱かせる恐れがあるという課題があった。介護者側でも、被介護者の体重を支えた状態で寝床面を５０センチメートル程度上下に移動させるので、操作作業に熟練が必要となり、素人の介護人や老人世帯では扱い難いという課題があった。そこで、素人の介護人や老人世帯でも使用しやすいように充分な設備を設けると、コストが上昇するという課題があった。
【０００６】
そこで、寝台の被介護者横臥面を移動させない手法として、浴槽を電動リフトやジャッキ機構で寝台まで移動させる形式も知られている（特許文献２）。しかし、浴槽について動力機構を用いて寝台まで移動させる形式では、大掛かりな機械設備が必要となり、通常の家庭で普及させるには保守作業の負担が大きく、実用的でないという課題があった。
【０００７】
さらに、寝台の被介護者の横臥面を移動させない手法であって、浴槽を寝台まで移動させることのない手法として、ベッド上に袋状のシートを置いておき、このシートの壁面を上下動フレームなどで支えて一時的に浴槽を形成するものが提案されている（特許文献３）。しかし、ベッド面に防水シートを置くものは、患者を寝床からいったん移動させる必要があり、そのための介護作業が負担になるという課題があった。また、床面に防水シートを敷く方式のものは、用便の処理に困るという課題もあった。
【特許文献１】特開平６−３４３６７３号公報
【特許文献２】登録実用新案第３０６３７８０号公報
【特許文献３】特開平１０−２４０８３号公報
【発明の開示】
【発明が解決しようとする課題】
【０００８】
本発明は上記の事情に鑑みてなされたもので、浴槽を寝台まで移動させることが不要で、寝台の被介護者の横臥面を移動させることなく、手軽に入浴させることができると共に、介護者の負担を大幅に軽減できる介護用ベッドを提供することを目的とする。特に、寝床面に横臥する利用者の皮膚に対して、身体形状に応じた寝床面形状とすることで寝心地がよく、また下半身麻痺のような寝たきり状態であっても、床ずれ発生が防止できる介護用ベッドを提供することを目的とする。
【課題を解決するための手段】
【０００９】
上記目的を達成するために、本発明による介護用ベッドは、例えば図１に示すように、寝台枠１０に対して、断面形状が略円形・略楕円形・略円環状・蒲鉾状又はドーム型の棒状マット部材２０を一層であって、かつ複数並べて寝床面を形成すると共に、マット部材２０とその隣接するマット部材２０との間に形成された隙間から汚水や排便を下方に放出できるように構成した介護用ベッドであって、マット部材２０は、利用者と接触する表層部２１を、前記利用者による負荷荷重対応の窪みを形成する程度の変形性を有する防水性部材で構成し、マット部材２０の剛性を前記利用者の荷重によっては実質的に撓み量を前記利用者が感じない程度に構成したことを特徴としている。
【００１０】
このような構成の介護用ベッドによれば、表層部２１を、利用者による負荷荷重対応の窪みを形成する程度の変形性を有する防水性部材で構成しているので、表層部２１として寝床面に横臥する利用者の皮膚分布形状に応じた寝床面形状が得られる。また、利用者が寝返りを打って負荷荷重分布が変化しても、表層部２１の変形機能によって窪み形状が適応状態で変形し、寝心地が良好なものとなる。マット部材２０の剛性は、利用者の荷重によっては実質的に撓み量を利用者が感じない程度としているので、寝心地が良好なものとなる。また、マット部材２０とその隣接するマット部材２０との間に形成された隙間から、利用者についての汚水や排便を下方に放出でき、表層部２１に防水性部材に用いているので、清掃も容易となる。
【００１１】
本発明の介護用ベッドにおいて、好ましくは、例えば図２・図３に示すように、寝台枠１０のマット部材２０を支持する高さは、大略一定であって、前記利用者の首部・背中部・太腿部・腿部に関しては標準径のマット部材を配し、前記利用者の臀部を含む頭部・肩部・踵部の少なくとも一部に対応する部位には、前記標準径のマット部材と比較して外径の小さなマット部材を配するように構成することを特徴としている。
【００１２】
このような構成の介護用ベッドによれば、寝台枠１０のマット部材２０を支持する高さは、軸受部材１６の凹部の深さによって定まるため、利用者の臥せる位置によらず大略一定である。そこで、利用者の首部・背中部・太腿部・腿部に関しては、標準径のマット部材２０（例えば大径マット部材２０３）を寝台枠１０に設置するが、利用者の臀部を含む頭部・肩部・踵部の少なくとも一部に対応する部位は標準径より小さなマット部材（例えば中径マット部材２０２や小径マット部材２０１）を配するのがよい。これにより、寝床面に横臥する利用者の皮膚分布形状に応じた寝床面形状が得られ、寝床面の表面形状を床ずれの少ない適切なものとすることができる。
【００１３】
本発明の介護用ベッドにおいて、好ましくは、例えば図３・図５に示すように、前記利用者の首部・背中部・太腿部・腿部に関しては、前記利用者の荷重作用時には負荷荷重対応の窪みを形成すると共に、前記利用者の荷重除去時には形成された窪みが回復する変形回復機能が標準の小変形表層部２１２を配し、前記利用者の臀部を含む頭部・肩部・踵部の少なくとも一部に対応する部位には、前記小変形表層部２１２と比較して前記変形回復機能の大きな大変形表層部２１１を配するように構成することを特徴としている。
【００１４】
このような構成の介護用ベッドによれば、利用者の首部・背中部・太腿部・腿部に関しては小変形表層部２１２を配し、利用者の臀部を含む頭部・肩部・踵部の少なくとも一部に対応する部位に関しては大変形表層部２１１を配するように構成すると、寝床面に横臥する利用者の皮膚分布形状に応じた寝床面形状が得られ、寝床面の表面形状を床ずれの少ない適切なものとすることができる。即ち、利用者の臀部を含む頭部・肩部・踵部は他の部位と比較して、荷重作用量が大きいので、負荷荷重対応の窪みも大きいことが望ましいが、大変形表層部２１１は窪み形成量が大きいので、過大な反力が大変形表層部２１１の対向面に作用せず、望ましい。
【００１５】
本発明の介護用ベッドにおいて、好ましくは、例えば図１１・図１２に示すように、マット部材２０は、芯部２２の軸方向について、寝台枠１０の横幅に対して大略一杯に表層部２１を有する全幅マット部材２４と、前記利用者の胴体幅に対して、当該胴体幅相当の表層部２１を有する胴体用マット部材２５と、前記利用者の胴体の両側に位置する両腕に対して、当該両腕相当の位置に表層部２１を有し、当該胴体幅相当の部位には芯部が形成されている両腕用マット部材２６との三類型を有している。そして、肩又は肘に対応する部位については胴体用マット部材２５を装着し、肩甲骨又は股に対応する部位については両腕用マット部材２６を装着することを特徴としている。
【００１６】
このような構成の介護用ベッドによれば、利用者の床ずれ発生部位が、両肩、肩甲骨付近、両肘、尾骨付近、踵付近の皮膚であることに注目して、三類型のマット部材が使い分けられる。即ち、両肩と両肘に対応する部位の寝台枠１０のマット部材支持部１７に、胴体用マット部材２５を装着する。肩甲骨付近と尾骨付近に対応する部位の寝台枠１０のマット部材支持部１７に、両腕用マット部材２６を装着する。そして、頭部、首部、太腿部、腿部に対応する部位の寝台枠１０のマット部材支持部１７に、全幅マット部材２４を装着する。これにより、床ずれが仮に発生しても、床ずれ発生部位には窪んでいる表面形状を有する表層部２１を対向させることで、床ずれの症状悪化を防止できる。
【００１７】
本発明の介護用ベッドにおいて、好ましくは、例えば図６・図７に示すように、マット部材２０は、寝台枠１０に対して回動自在に支持され、寝台枠１０のマット部材支持部１７は、支持するマット部材２０に対して高さ方向又は隣接マット部材方向の少なくとも一方について振動可能に支持し、若しくは支持するマット部材２０を所定の態様で回動又は回転させ、当該振動、回動又は回転によって、前記利用者に対する皮膚マッサージ機能を有するように構成されたことを特徴としている。
【００１８】
このような構成の介護用ベッドによれば、マット部材支持部１７は、マット部材２０に対して高さ方向又は隣接マット部材方向の少なくとも一方について振動可能に支持しているので、マット部材２０を幅方向に移動させ、マット部材２０を上下移動させたり、幅方向に揺らせたり、或いはマット部材２０を前後移動させたり、縦方向に揺らせる等の、各種の態様での変位が可能である。そこで、皮膚に対するマッサージ機能が発揮されて、床ずれの発生を防止できる。また、マット部材支持部１７は、支持するマット部材２０を所定の回転速度で回転することによって、利用者の床ずれ発生防止が図られる。
【００１９】
本発明の介護用ベッドにおいて、好ましくは、例えば図１４に示すように、マット部材２０が、寝台枠１０に形成された凹部１７に支持されると共に、凹部１７の上部に、凹部１７を覆う状態と開いた状態との間で開閉するストッパ部１９を設け、ストッパ部１９を開いた状態で、凹部１７に対するマット部材２０の着脱を行い、ストッパ部１９を閉じた状態で、凹部１７とストッパ部１９とによりマット部材２０を挟むように構成されたことを特徴としている。このような構成の介護用ベッドによれば、マット部材２０を凹部１７に位置決めした後、ストッパ部１９を閉じて凹部１７をストッパ部１９で覆うと、マット部材２０の端部が凹部１７とストッパ部１９によって拘束される。これにより、マット部材２０の比重が水よりも小さい場合であっても、マット部材２０が浮力により浮き上がるのが防止される。
【００２０】
本発明の介護用ベッドにおいて、好ましくは、例えば図８に示すように、マット部材２０は、表層部（２１、２７）で覆われた内部に、流体注入室（２３２、２７４）を有し、流体注入室に対して流体を注入し、若しくは注入された流体を吸引して、マット部材２０の径を調節し、若しくは表層部２１の表面形状を調節する流体調節部（２１６、２１９、２７６）を設け、利用者の床ずれ発生防止を行うように、流体調節部によって、流体注入室への流体注入量を調節することを特徴としている。
【００２１】
このような構成の介護用ベッドによれば、マット部材は流体注入室を有しているので、ゴム風船のように注入された流体量に応じて、表層部２１の表面形状を調節する。そこで、寝床面に横臥する利用者の皮膚分布形状に応じた寝床面形状が得られ、寝床面の表面形状を床ずれの少ない適切なものとすることができる。さらに、流体調節部によって、流体注入室２３２に対して流体を注入したり吸引したりして、表層部（２１、２７）の表面形状を変形させることによって、皮膚に対するマッサージ機能が発揮されて、床ずれの発生を防止できる。
【００２２】
本発明の介護用ベッドにおいて、好ましくは、例えば図９に示すように、マット部材２０は、表層部２１で覆われた内部に、流体注入室２３２を有し、流体注入室に対して蓄熱材を注入し、前記利用者に対する保温や保冷等の温度調節に適合するように、前記蓄熱材の特性を選定することを特徴とする。このような構成の介護用ベッドによれば、マット部材２１は流体注入室２３２に蓄熱材を注入しているので、介護用ベッドの利用者に対する保温や保冷等の温度調節に適合するように、蓄熱材の特性を選定することで、利用者に快適な就寝状態を提供できる。
【００２３】
本発明の介護用ベッドにおいて、好ましくは、マット部材２０は、表層部２１に抗菌処理又は殺菌処理の少なくとも一方を行ったことを特徴とする。このような構成の介護用ベッドによれば、表層部２１に抗菌処理又は殺菌処理を施しているので、利用者が長期間に渡ってマット部材の上で起臥する生活を行っていても、雑菌の繁殖が抑えられて、利用者の床ずれ発生による皮膚の損壊が防止できる。
【００２４】
本発明の介護用ベッドにおいて、好ましくは、例えば図１３に示すように、寝台枠１０は、当該枠の内部に網状マットレスを形成する幅連結部材１０２と縦連結部材１０４が複数装着され、幅連結部材１０２と縦連結部材１０４の設置間隔は、マット部材２０の装着を阻害しないように定めたことを特徴とする。このような構成の介護用ベッドによれば、マット部材２０の下側に幅連結部材１０２と縦連結部材１０４より構成される網状マットレスが位置するので、仮に隣接するマット部材２０の間隔が過大になっても、隙間から利用者の身体の一部は網状マットレスによって移動が拘束されるので、浴槽に触れる可能性が少なくなる。
【発明の効果】
【００２５】
請求項１に記載の本発明の構成により、表層部２１は、利用者による負荷荷重対応の窪みを形成する程度の変形性を有する防水性部材で構成しているので、表層部２１として寝床面に横臥する利用者の皮膚分布形状に応じた寝床面形状が得られる。また、利用者が寝返りを打って負荷荷重分布が変化しても、表層部２１の変形機能によって窪み形状が適応状態で変形し、寝心地が良好なものとなる。
【発明を実施するための最良の形態】
【００２６】
以下、本発明の実施例を図面に基づいて説明する。図１は、本発明の介護用ベッドの一実施の形態を説明する構成斜視図で、浴槽付きの介護用ベッドの場合を示しており、（Ａ）は介護用ベッド、（Ｂ）は浴槽を示している。図において、介護用ベッドは、寝台枠１０、支柱１２、吊り支柱１３、フック止め具１４、安全枠１５、軸受部材１６、マット部材２０を用いて構成されている。寝台枠１０は、床から高さ７０〜９０ｃｍ程度の位置に寝台面を形成するためのフレーム枠材で構成される。フレーム枠材には、鋼製等の金属やガラス繊維強化プラスチック材のような剛性が大きい材料が用いられており、その形状はパイプ状のように軽量化と剛性が両立するものとなっている。寝台枠１０は、典型的には就寝者が一人の場合を念頭に設計されており、例えば就寝者の幅方向について７０ｃｍ〜１００ｃｍ、長手方向について１８０ｃｍ〜２２０ｃｍ程度となっている。
【００２７】
支柱１２は、寝台枠１０の四隅に設けられるもので、例えば鋼製のパイプ材が用いられる。吊り支柱１３は、例えば支柱１２の先端部をＵ字状に折り曲げて設けられるもので、寝台枠１０の四隅を所定高さで支持する。支柱１２と吊り支柱１３の間には、幅３ｃｍ〜１０ｃｍ程度の空隙Ｓが設けられており、例えば浴槽３０を利用する場合の便宜に供している。フック止め具１４は、支柱１２と吊り支柱１３の先端連結部に設けられたリング状の金具で、例えば浴槽を利用する場合のシート３２を吊るのに用いる。安全枠１５は、寝台枠１０の四隅に設けられるフレーム状の棒材より形成されるもので、就寝者が寝台面から床に落下することを防止する。一般的には、安全枠１５は、寝台枠１０に対して着脱自在に取り付けられており、利用者が寝台面に移動することが容易に行えるように、寝台枠１０の一部について設置が省略されている。軸受部材１６は、寝台枠１０の長手方向の両側に設置されたもので、マット部材２０の装着便宜を高めるのに用いる。軸受部材１６の詳細は、後で図３（Ｃ）を用いて説明する。
【００２８】
マット部材２０は、断面形状が略円形・略楕円形又は略円環状の棒状部材である。寝台枠１０に対して、利用者が臥せる方向が縦方向であることを前提として、マット部材２０が寝台枠１０に対して横向きに一層で並べて寝床面を形成する。そして、寝床面は複数のマット部材２０によって形成される。寝床面の上には、例えば布団や毛布が敷かれて、利用者の便宜に供する。マット部材２０の詳細は、後で図２、図５〜図１０、図１２、図１４を用いて説明する。
【００２９】
次に、浴槽について説明する。なお、この浴槽は、本出願人が特許願２００６年第２５０６６５号明細書で説明したシート上下型の浴槽を用いているが、本発明はこれに限定されるものではない。例えば、浴槽としては従来公知の、寝床面をハンモック式または動力機構を介して下降する方式（特許文献１）、浴槽を電動リフトやジャッキ機構で寝台まで移動させる形式（特許文献２）、ベッド上に袋状のシートを置いておき、このシートの壁面を上下動フレームなどで支えて一時的に浴槽を形成する（特許文献３）を用いてもよい。
【００３０】
図において、浴槽は、浴槽ケース３０、排水栓３１、シート３２、金属枠３３、車輪３４、フック３５を有している。浴槽ケース３０は、介護用ベッドの寝台枠１０と床との間に移動式で位置決め設置することを前提とする為、通常の浴槽の深さである６０ｃｍ程度と比較して三分の一程度の浅い矩形状溜め水槽となっている。浴槽ケース３０には、軽金属製の薄板やガラス繊維強化プラスチック材を用いることができる。排水栓３１は、浴槽ケース３０の下部に一箇所設けられたものである。車輪３４は、浴槽ケース３０の底面の四隅に設けられたものである。
【００３１】
シート３２は、浴槽ケース３０の上部に気密状態で取り付けられる耐水性材料よりなるもので、蛇腹式に垂直方向に伸縮可能に構成されている。シート３２には、合成繊維製ファイバーで補強したゴム膜、ナイロン膜、ビニール膜等の軽い素材を用いることができる。金属枠３３は、シート３２の上部に取り付けられたフレーム状の枠材で、例えば鋼製のパイプが用いられる。金属枠３３の形状は、介護用ベッドの寝台枠１０よりも僅かに広い間口を有するもので、支柱１２と吊り支柱１３の間に形成された空隙Ｓにシート３２を位置させるのに便利なように定められている。フック３５は、シート３２を伸長させた状態でフック止め具１４に吊り下げるのに用いるものである。フック３５の吊り下げ位置は、シート３２を引き伸ばした状態で、寝床面に横臥している利用者の表面よりも若干上まで水位を確保できるように定められており、例えば寝台面から１５ｃｍ〜４０ｃｍ程度に定められる。
【００３２】
図２はマット部材の構造の一例を説明する構成斜視図である。図において、マット部材２０は、表層部２１、芯部２２、円環体２３を有している。表層部２１は、マット部材２０が利用者と接触する部位で、利用者による負荷荷重対応の窪みを形成する程度の変形性を有する防水性部材で構成する。表層部２１には、例えば発泡ポリウレタンフォームのような柔軟な撥水性素材で構成され、利用者が寝床面から降りた時は、従前の形状に回復するような形状回復機能を持たせるとよい。芯部２２は、軸受部材１６に支持される軸部２２ａをマット部材２０の両端に有している。また、芯部２２は、軸部２２ａを連結する棒状若しくはパイプ状の棒材を有していても良く、表層部２１と同心円状に位置しているとよい。芯部２２の剛性は、利用者の荷重によっては実質的に撓み量を利用者が感じない程度に構成するのがよく、例えば体重６０ｋｇ程度の利用者が介護用ベッドの寝台枠１０に横臥した場合に、個別のマット部材２０の中心撓み量が例えば１ｍｍ以下になるように定める。
【００３３】
円環体２３は、マット部材２０の表層部２１外径Ｄに応じて、芯部２２を中心として多層に巻装されるもので、例えば筒状の円環体２３を芯部２２を形成する棒体に同心円状に装着される。例えば、マット部材２０は、表層部２１の外径Ｄについて、例えば図２（Ａ）に示す大径マット部材２０３、（Ｂ）に示す中径マット部材２０２、（Ｃ）に示す小径マット部材２０１の三類型を設ける。この場合、小径マット部材２０１は、表層部２１の外径Ｄ１を例えば約１５ｃｍ程度とする。そして、芯部２２に直接巻装される第一層円環体２３ａは、外径Ｄ約１０ｃｍ程度になっている。また、第二層円環体２３ｂは、第一層円環体２３ａに巻装されるもので、第二層円環体２３ｂの厚さは例えば約２．５ｃｍ程度になっている。
【００３４】
次に、中径マット部材２０２は、表層部２１の外径Ｄ２を例えば約２０ｃｍ程度とする。この場合、小径マット部材２０１をベースに中径マット部材２０２を製作するには、芯部２２に直接巻装される第一層円環体２３ａ、第二層円環体２３ｂ、第三層円環体２３ｃの三層構造にするとよい。そして、第三層円環体２３ｃは、第二層円環体２３ｂに巻装されるもので、第三層円環体２３ｃの厚さは例えば約２．５ｃｍ程度になっている。大径マット部材２０３は、表層部２１の外径Ｄ３を例えば約２５ｃｍ程度とする。この場合、中径マット部材２０２をベースに小径マット部材２０１を製作するには、芯部２２に直接巻装される第一層円環体２３ａ、第二層円環体２３ｂ、第三層円環体２３ｃ、第四層円環体２３ｄの四層構造にするとよい。そして、第四層円環体２３ｄは、第三層円環体２３ｃに巻装されるもので、第四層円環体２３ｄの厚さは例えば約２．５ｃｍ程度になっている。
【００３５】
このように、マット部材２０の表層部２１外径Ｄに応じて多層に円環体２３を巻装する構造とすると、量産効果が発揮されて製造コストの低減に役立つ。また、寝台枠１０に設置するマット部材２０の標準本数は、表層部２１外径Ｄに応じて変化する。例えば、上記小径マット部材２０１の場合は標準１２本、中径マット部材２０２の場合は標準９本、大径マット部材２０３の場合は標準７本となる。
【００３６】
図３は寝床面に横臥する利用者の部位に対応して、マット部材の外径を調節して配置する場合の説明図で、（Ａ）は平面図、（Ｂ）は正面図、（Ｃ）は軸受部材の正面図を示している。人の身体に対する名称として、頭部・首部・肩部・背中部・臀部・太腿部・腿部・踵部に区分けされる。この身体の各部位に対応して、マット部材の外径を選択することにより、寝床面の表面形状を床ずれの少ない適切なものとすることができる。床ずれとは、長期間の横臥により皮膚表面に生じる赤いただれをいい、蓐瘡ともいう。
【００３７】
寝台枠１０のマット部材２０を支持する高さは、軸受部材１６の凹部１７の深さによって定まるため、利用者が縦方向に臥せる位置によらず一定である。そこで、利用者の首部・背中部・太腿部・腿部に関しては、寝台枠１０に設置するマット部材２０の標準部材として大径マット部材２０３を用いるが、利用者の臀部を含む頭部・肩部・踵部の少なくとも一部に対応する部位は中径マット部材２０２や小径マット部材２０１を配するのがよい。これにより、寝床面の表面形状を床ずれの少ない適切なものとすることができる。マット部材２０の表層部２１は、発泡ポリウレタンフォームのような柔軟な撥水性素材で構成されているので、床ずれの対処に適している。ここでは、フック止め具１４として、支柱１２の上端に設けられた上部フック止め具１４ａと、吊り支柱１３の中間に設けられたフック止め具１４ｂの二類型があり、上端と中間の二つの高さでシート３２を吊ることができる。
【００３８】
図４はシートを圧縮した状態で浴槽ケースを寝台枠の下部に位置させた状態を説明する構成斜視図で、マット部材と軸受部材を取り除いた状態を示している。寝台枠１０の下面は、シート３２の開口を介して浴槽ケース３０の内槽に開放されている。そこで、寝台枠１０にマット部材２０が装着されている状態で、利用者がシャワーを利用した場合を検討すると、シャワーの湯水はマット部材２０の隙間から浴槽ケース３０の内槽へ流れ込み、ここに留まる。そこで、排水栓３１に適当な排水ホースを接続することで、簡便に排水できる。
【００３９】
図５はマット部材の構造の第２の実施の形態を説明する構成斜視図である。図２の実施例では、マット部材２０の表層部２１外径Ｄを変えることによって、身体形状に応じた寝床面形状を得ていた。しかし、マット部材２０の表層部２１外径Ｄを一定にしたままでも、表層部２１の変形機能を適宜に選択することで、同様の身体形状に応じた寝床面形状が得られる。図５（Ａ）は大変形表層部２１１、図５（Ｂ）は小変形表層部２１２の場合を示している。大変形表層部２１１は、荷重作用時の窪み変形量が大きく、荷重除去時には形成された窪みが回復する変形回復機能が大きいもので、例えば表層部２１に用いる発泡ポリウレタンフォームの層を例えば５〜１０ｃｍのように厚くする。小変形表層部２１２には、大変形表層部２１１と比較すると、荷重作用時の窪み変形量が小さいもので、例えば表層部２１に用いる発泡ポリウレタンフォームの層を例えば２〜３ｃｍのように薄くする。
【００４０】
寝台枠１０のマット部材２０を支持する高さは、軸受部材１６の凹部の深さによって定まるため、利用者が縦方向に臥せる位置によらず一定である。そこで、利用者の首部・背中部・太腿部・腿部に関しては、寝台枠１０に設置するマット部材２０の標準部材として小変形表層部２１２を用いるが、利用者の臀部を含む頭部・肩部・踵部の少なくとも一部に対応する部位は大変形表層部２１１を配するのがよい。なお、寝台枠１０のマット部材２０を支持する高さを、利用者の首部・背中部・太腿部・腿部に関しては標準高さを用いるが、利用者の臀部を含む頭部・肩部・踵部の少なくとも一部に対応する部位は標準高さよりも低くなるように、軸受部材１６の凹部の深さを調節してもよい。この場合、身体形状に応じて、臀部を最も深くし、肩部と踵部については臀部と標準高さの中間深さとするのがよい。頭部に関しては、利用者の希望に応じて、標準高さよりも高くしても良く、また床ずれの状態によっては標準高さよりも低くしても良い。
【００４１】
図６はマット部材の第３の実施の形態を説明する構成斜視図で、（Ａ）は介護用ベッドの要部構成斜視図、（Ｂ）は軸受部材の構成図である。ここでは、寝床面に横臥する利用者の皮膚に対向するマット部材２０の表層部２１を変位させて、床ずれを防止しようとするものである。即ち、軸受部材１６には、個別のマット部材２０を支持するための凹部１７が形成されており、ここではマット部材２０として前述の大径マット部材２０３を用いる場合を前提として、標準７本用の凹部１７が形成されている。各凹部１７には、マット部材２０を上下方向に振動させる垂直アクチュエータ１８ａと、マット部材２０を前後方向に振動させる前後アクチュエータ１８ｂと、マット部材２０を幅方向に振動させる左右アクチュエータ１８ｃ（図示せず）と、各アクチュエータ１８ａ、１８ｂ、１８ｃと制御装置１８ｅとを連結する制御線１８ｄが設けられている。各アクチュエータ１８ａ、１８ｂ、１８ｃには、油圧や空気圧のような流体により駆動される流体駆動型ピストンを用いても良く、また電圧信号により変位する圧電素子や、電流信号により変位する電歪素子を用いても良い。制御線１８ｄは、各アクチュエータ１８ａ、１８ｂ、１８ｃを個別マット部材２０に独立の動作を実現するように一対一に個別に設けられていてもよく、また上下方向・前後方向・左右方向の三次元毎に設けられてもよい。振幅については１〜１０ｍｍ程度、周波数については０．１〜３Ｈｚ程度であればよい。
【００４２】
制御装置１８ｅは、制御線１８ｄを介して、各アクチュエータ１８ａ、１８ｂ、１８ｃに振動制御信号を送って、垂直アクチュエータ１８ａ、前後アクチュエータ１８ｂ、左右アクチュエータ１８ｃの振動周波数と振幅及び位相関係を調整できるように構成されている。制御装置１８ｅは、左右の軸受部材１６について各アクチュエータ１８ａ、１８ｂ、１８ｃの機能を協調して増大するようにするのが好ましい。そこで、左右アクチュエータ１８ｃについてはマット部材２０を幅方向に移動させるものなので、左右の軸受部材１６について同相で駆動する。他方、垂直アクチュエータ１８ａについては、マット部材２０を上下移動させたり、幅方向に揺らせてもよいので、左右の軸受部材１６について同相で駆動してもよく、また逆相で駆動してもよい。前後アクチュエータ１８ｂについては、マット部材２０を前後移動させたり、縦方向に揺らせてもよいので、左右の軸受部材１６について同相で駆動してもよく、また逆相で駆動してもよい。
【００４３】
寝台枠１０のマット部材支持部である凹部１７は、各アクチュエータ１８ａ、１８ｂ、１８ｃと制御装置１８ｅによって、支持するマット部材２０に対して高さ方向又は隣接マット部材方向の少なくとも一方について振動可能に支持する。この振動可能な支持によって、利用者の床ずれ発生防止が図られる。なお、各凹部１７に各アクチュエータ１８ａ、１８ｂ、１８ｃを設けて三次元的に変位させることは、床ずれを防止しようとする用途には自由度が高過ぎて制御が複雑になる場合がある。そこで、寝床面に横臥する利用者の皮膚に対するマッサージ機能を発揮するため、各凹部１７に三次元方向に移動するマッサージ機の揉み玉駆動部のような、単一のアクチュエータを設けてもよい。各凹部１７に揉み玉駆動部類似のアクチュエータを設ける場合、振幅については１〜１０ｍｍ程度、周波数については０．１〜３Ｈｚ程度で駆動できればよい。各凹部１７のアクチュエータが、揉み玉駆動部類似あれば、旋回運動や単純な往復運動や指圧動作のような、変位態様別の駆動を行っても良い。さらに、各アクチュエータ１８ａ、１８ｂ、１８ｃは全ての凹部１７に対して設ける必要はなく、例えば利用者の肩部や腰のように、通常マッサージが行われる部位に対応するマット部材２０に設けてもよい。
【００４４】
図７はマット部材の構造の第４の実施の形態を説明する構成斜視図で、（Ａ）はマット部材が回動する場合の構成斜視図、（Ｂ）はマット部材の表層部に変位機能部を設けた場合の構成図である。寝床面に横臥する利用者の皮膚に対向するマット部材２０の表層部２１を変位させて、床ずれを防止しようとする場合に、第３の実施の形態のように、マット部材２０の軸部２２ａを三次元的に移動させても、皮膚に対するマッサージとしては間接的過ぎるとも思える。そこで、図７（Ａ）では、マット部材２０が回動しやすいように、軸部２２ａと、円筒面に表層部２１を有する円環体２３との間に、ベアリング部２２ｂを設けて、軸部２２ａと、円筒面に表層部２１を有する円環体２３とが独立に回動することを可能とする構成としている。この場合、軸受部材１６の凹部１７には、軸部２２ａを支持する機能のみでよい。表層部２１を有する円環体２３については、別途ベルトやモータ（図示せず）等によって、回動させるとよい。ベルトやモータ等によって、凹部１７で支持するマット部材２０を所定の態様で回動又は回転することによって、利用者の皮膚マッサージ機能が実現され、床ずれ発生防止が図られる。回動又は回転の態様は、利用者の皮膚マッサージ機能や、床ずれ発生防止ができるように定める。
【００４５】
図７（Ｂ）では、マット部材２０の表層部２１に変位機能部２１４を設けた場合の構成図である。表層部２１の利用者皮膚への対向面に、変形アクチュエータ収容室２１３を形成する。変形アクチュエータ収容室２１３は、表層部２１を有する円環体２３の一部に空間を形成したもので、表層部２１に相当する表層がカバー部材２１５で被覆されている。変位機能部２１４は、変形アクチュエータ収容室２１３に収容されるもので、カバー部材２１５の表面に皮膚に対するマッサージに必要な変位を生成する。変位機能部２１４は、油圧や空気圧のような流体により駆動される流体駆動型ピストンを用いても良く、また電圧信号により変位する圧電素子や、電流信号により変位する電歪素子を用いても良い。
【００４６】
図８はマット部材が空気式膨張性を有する場合の実施の形態を説明する構成斜視図で、（Ａ）はマット部材が断面円形の第５の実施の形態の構成斜視図、（Ｂ）はマット部材が断面蒲鉾型又はドーム型の第６の実施の形態の構成斜視図である。マット部材２０が断面円形で空気式膨張性を有する場合は、表層部２１を有する円環体２３が流体注入室として作用し、ゴム製風船のように内部に吹き込まれる流体によって膨張し、これにより寝床面に横臥する利用者の皮膚に対応して、表層部２１の形状が変化して、利用者の寝心地を改善する。
【００４７】
更に、図８（Ａ）のように、表層部２１を有する円環体２３に流体注入室を設けてもよい。マット部材２０は、芯部２２と表層部２１との間に位置する円環体２３に流体注入室２３２を形成してある。流体注入室２３２の形状は、マット部材２０の両端に位置する軸部２２ａを連結する中央軸部（図示せず）を中心にドーナツ状の断面形状を有する筒型でもよく、また中央軸部のない断面円形の筒型で中空室でもよい。そして、流体注入室２３２に対して空気を注入するための注入口２１６が、表層部２１に形成されている。また、排気口２１７は、流体注入室２３２に対して空気を排気するのに用いられる。注入口２１６と排気口２１７とを独立して設けることで、空気圧力調節装置を取り外した状態でも、注入口２１６と排気口２１７に設けられた弁の作用で流体注入室２３２の形状が維持される。圧縮空気供給装置２１９は、注入口２１６に対してホース２１８の先端に設けられた接続口２１８ａを介して、流体注入室２３２と接続される。
【００４８】
このように構成された装置においては、圧縮空気供給装置２１９により適宜の量の空気を流体注入室２３２に対して注入する。すると、注入された空気量に応じて、マット部材２０の径が調節され、表層部２１の曲率が変化する。次に、排気口２１７から空気を排気して、マット部材２０の径が調節され、表層部２１の曲率が変化して、皮膚に対するマッサージ機能を実現する。このように、圧縮空気供給装置２１９による吸気と、排気を適宜のサイクルで繰り返すことによって、皮膚に対するマッサージ機能を実現し、利用者の床ずれ発生防止を行う。好ましくは、圧縮空気供給装置２１９に代えて、空気圧力調節装置を常時接続すると、皮膚に対するマッサージ機能の実現にとって好ましい。
【００４９】
マット部材の断面形状は、蒲鉾型又はドーム型であってもよい。図８（Ｂ）のように、マット部材２０は、ドーム型の表層部を形成するドーム部２７と、ドーム型の基部を形成するもので、蒲鉾の板に相当する基部２８と、基部２８の両端に設けられた軸支部２９を有している。軸支部２９は、マット部材２０が断面円形の場合の軸部２２ａに相当する機能を有している。基部２８は剛性が高いもので、両端の軸支部２９により凹部１７に支持される。ドーム部２７は、例えば表面層を形成する膜部２７２と、膜部２７２と基部２８との間に形成される流体注入室２７４と、この流体注入室２７４に対して空気を注入するための注入口２７６と、流体注入室２３２に対して空気を排気するのに用いられる排気口２７８を有している。注入口２７６と排気口２７８とを独立して設けることで、空気圧力調節装置を取り外した状態でも、注入口２７６と排気口２７８に設けられた弁の作用でドーム部２７の流体注入室２７４の形状が維持される。圧縮空気供給装置２１９は、注入口２７６に対してホース２１８の先端に設けられた接続口２１８ａを介して、流体注入室２７４と接続される。
【００５０】
このように構成された装置においては、圧縮空気供給装置２１９により適宜の量の空気を流体注入室２７４に対して注入する。すると、注入された空気量に応じて、ドーム部２７の曲率や厚みが変化する。次に、排気口２７８から空気を排気して、ドーム部２７の曲率や厚みが変化して、皮膚に対するマッサージ機能を実現する。このように、圧縮空気供給装置２１９による吸気と、排気を適宜のサイクルで繰り返すことによって、皮膚に対するマッサージ機能を実現し、利用者の床ずれ発生防止を行う。好ましくは、圧縮空気供給装置２１９に代えて、空気圧力調節装置を常時接続すると、皮膚に対するマッサージ機能の実現にとって好ましい。空気圧力調節装置を常時接続する場合は、注入口２７６と排気口２７８を一体化してもよい。
【００５１】
図９は、図８（Ａ）に示すマット部材が断面円形の実施形態を基準に、流体注入室に蓄熱材を用いた第７の実施の形態の構成斜視図で、（Ａ）はマット部材の構成斜視図、（Ｂ）は断面図である。マット部材の表層部に変位機能部を設けた場合の構成図である。図９（Ａ）においては、マット部材２０は、表層部２１の内部に円環体２３を位置させ、円環体２３の内側に流体注入室２３２を形成してある。流体注入室２３２に充填する蓄熱材には、例えばゲル状等の流動性のある蓄熱材を用いる。流体注入室２３２には、蓄熱材を注入するための注入口２１６を設けるとよい。また、流体注入室２３２には、さらに排気口２１７を設けると、注入口２１６からの蓄熱材の注入が円滑に行える。
【００５２】
利用者の体温を冷却する必要があるときは、蓄熱材として畜冷材を用いる。畜冷材には、融点が氷温から体温の間にあり、比熱が高いものを用いると良く、畜冷材が固体から液体に相転移する際の潜熱を用いて、冷却能力を高める。他方、利用者の体温を温める必要があるときは、蓄熱材として畜熱材を用いる。畜熱材には、融点が体温から低温火傷を生じない程度の温度の間にあり、比熱が高いものを用いると良く、畜熱材が液体から固体に相転移する際の潜熱を用いて、暖房能力を高めることができる。
【００５３】
図１０はマット部材の構造の第８の実施の形態を説明する構成斜視図で、（Ａ）はマット部材の表層部を有する円環体の径が軸方向に変化する第一類型、（Ｂ）は（Ａ）の第一類型と対になる第二類型の構成斜視図である。図１０（Ａ）、（Ｂ）に示す第一類型と第二類型とは、マット部材２０の表層部２１を有する円環体２３の径Ｄが軸方向に変化するもので、対にして用いるのが良い。即ち、第一類型では、マット部材２０の軸方向について、一方の側に径の小さな小径円環体２３１を形成し、他方の側に径の大きな大径円環体２３２を形成してある。また、第二類型では、マット部材２０の軸方向について、一方の側に径の大きな大径円環体２３３を形成し、他方の側に径の小さな小径円環体２３４を形成してある。この場合、大径円環体２３２と大径円環体２３３については、マット部材２０の軸方向の中央側では径が小さく、縁側では径の大きな円錐台形状としてもよい。このように構成された装置においては、寝床面に横臥する利用者の皮膚マッサージ機能を実現するためには、例えば二時間ごとに第一類型のマット部材２０と、第二類型のマット部材２０を交換して、床ずれを防止できる。
【００５４】
図１１はマット部材の配置の第９の実施の形態を説明する構成図で、（Ａ）は寝床面に横臥する利用者の床ずれ部位の説明図、（Ｂ）はマット部材の配置の説明図である。図１２は図１１の実施例に用いて好適なマット部材を説明する構成斜視図で、（Ａ）は軸方向の径分布が均一な第一類型、（Ｂ）は中央部が膨らんだ第二類型、（Ｃ）は中央部が窪んだ第三類型の説明図である。第一類型は、全幅マット部材２４で、芯部２２の軸方向について、寝台枠１０の横幅に対して大略一杯に表層部２１を有する。全幅マット部材２４の芯部２２は、軸受部材１６に支持される軸部２２ａを全幅マット部材２４の両端に有している。第二類型は、胴体用マット部材２５で、利用者の胴体幅に対して、当該胴体幅相当の表層部２１を有する。胴体用マット部材２５の芯部２２は、軸受部材１６に支持される軸部２２ａと、軸部２２ａと表層部２１との間に位置する芯部２２ｂを有している。芯部２２ｂの径は、軸部２２ａと同一でも良く、また軸部２２ａの径と表層部２１との中間でもよい。第三類型は、両腕用マット部材２６で、利用者の胴体の両側に位置する両腕に対して、当該両腕相当の位置に表層部２１を有し、当該胴体幅相当の部位には芯部２２ｃが形成されている。両腕用マット部材２６の芯部２２は、軸受部材１６に支持される軸部２２ａを両腕用マット部材２６の両端に有している。芯部２２ｃの径は、軸部２２ａと同一でも良く、また軸部２２ａの径と表層部２１との中間でもよい。
【００５５】
寝床面に横臥する利用者の床ずれ部位は、図１１（Ａ）に示すように、両肩、肩甲骨付近、両肘、尾骨付近、踵付近の皮膚である。そこで、両肩と両肘に対応する部位の寝台枠１０の凹部１７に、胴体用マット部材２５を装着する。肩甲骨付近と尾骨付近に対応する部位の寝台枠１０の凹部１７に、両腕用マット部材２６を装着する。そして、頭部、首部、太腿部、腿部に対応する部位の寝台枠１０の凹部１７に、全幅マット部材２４を装着する。踵付近の皮膚については、足首付近に大径のマット部材を配置すれば踵付近は浮くから、全幅マット部材２４でもよく、また胴体用マット部材２５や両腕用マット部材２６を用いても良い。
【００５６】
図１３は、介護用ベッドの第１０の実施の形態を説明する構成斜視図で、図１の浴槽付きの介護用ベッドと比較すると、（Ａ）はマット部材を除く介護用ベッド、（Ｂ）は浴槽、（Ｃ）はマット部材配置を示している。第１０の実施の形態においては、図１の浴槽付きの介護用ベッドに対して、寝台枠１０の形状を工夫したものである。即ち、図１の寝台枠１０では、フレーム枠材であるため、マット部材２０が装着されていない状態では中空になっている。すると、隣接するマット部材２０の間隔が過大になると、隙間から利用者の身体の一部が浴槽に触れる可能性があった。仮に浴槽がぬれている場合には、利用者の身体の一部、例えば手や足が濡れることとなり、介護者にとって好ましくないことが予想される。
【００５７】
そこで、寝台枠１０には、就寝者の幅方向について幅連結部材１０２が数本設置され、就寝者の頭足方向に縦連結部材１０４が数本設置されている。そして、幅連結部材１０２と縦連結部材１０４の上部に、マット部材２０が配置される。マット部材２０が寝台枠１０の凹部１７に支持しやすいように、幅連結部材１０２と縦連結部材１０４の設置場所を定める。幅連結部材１０２と縦連結部材１０４は、例えば弾力性を有するハンモック状態の網状マットレスとして機能させるのがよい。網状マットレスの網目形状を定める幅連結部材１０２と縦連結部材１０４の設置間隔は、マット部材２０の装着を阻害しないように定めるのがよい。
【００５８】
このように構成すると、マット部材２０の下側に幅連結部材１０２と縦連結部材１０４より構成される網状マットレスが位置するので、仮に隣接するマット部材２０の間隔が過大になっても、隙間から利用者の身体の一部は網状マットレスによって移動が拘束されるので、浴槽に触れる可能性が少なくなる。すると、浴槽がぬれている場合でも、利用者の身体の一部、例えば手や足が濡れることが防止でき、介護者にとって好ましい。
【００５９】
図１４はマット部材の第１１の実施の形態を説明する構成斜視図で、（Ａ）は個別のマット部材を支持するための凹部付近の要部側面図、（Ｂ）はストッパ部１９を除いた軸受部材の要部平面図、（Ｃ）は使用状態を説明する要部平面図である。軸受部材１６には、個別のマット部材２０を支持するための凹部１７が形成されている。そこで、マット部材２０の軸部２２ａを凹部１７に位置決めして、湯につける場合を検討する。マット部材２０が湯に浸かった状態は、図３（Ｂ）のような状態で、シート３２を伸長させた状態でフック止め具１４に吊り下げて、シート３２に湯水を貯留させた場合に生ずるものである。フック３５の吊り下げ位置は、シート３２を引き伸ばした状態で、寝床面に横臥している利用者の表面よりも若干上まで水位を確保できるように定められているので、マット部材２０は水没する。すると、マット部材２０の比重が水よりも小さい場合には、マット部材２０が浮力により浮き上がるという課題を生ずる。
【００６０】
そこで、マット部材２０の比重が水よりも小さい場合であっても、マット部材２０が浮力により浮き上がるのを防止するために、凹部１７の上部にストッパ部１９を設けるとよい。ストッパ部１９は、軸部１９２によって所定範囲内で回転自在に軸受部材１６に軸支されている。そこで、ストッパ部１９を開いた状態では、凹部１７がストッパ部１９で覆われていないので、凹部１７にマット部材２０の軸部２２ａを位置決めできる。そして、マット部材２０の軸部２２ａを凹部１７に位置決めした後、ストッパ部１９を閉じて凹部１７をストッパ部１９で覆うと、軸部２２ａが凹部１７とストッパ部１９によって拘束される。これにより、マット部材２０の比重が水よりも小さい場合であっても、マット部材２０が浮力により浮き上がるのが防止される。
【００６１】
以上、添付図面を参照して、この発明の実施形態を説明したが、この発明はかかる実施形態に限定されるものではなく、特許請求の範囲の記載から把握される技術的範囲において種々の形態に変更可能である。例えば、被介護者として日本人の標準的な大人の体型を有することを前提に寝台枠の形状を説明したが、本発明はこれに限定されるものではなく、例えば子供用であっても良く、また体型の大きな西洋人向けのものとしてもよい。
【００６２】
さらに、マット部材２０の表面層には、抗菌処理や消臭処理を施しても良い。抗菌 (antimicrobial effect, antibacterial-)とは、細菌の増殖を阻止することをいい、繁殖を阻止する対象や程度を含まない概念である。ＪＩＳ規格（JIS Z 2801）の抗菌仕様製品では、かび、黒ずみ、ヌメリは効果の対象外とされている。抗菌処理にはヨウ素含浸、酸化チタン・グラフト重合等が公知の手法として存在する。グラフト重合とは、ある高分子鎖に別の高分子鎖を結合することをいう。高分子鎖上に放射線照射や触媒などにより活性点を形成し、これによって別のモノマーの重合を開始させ、グラフト重合体を合成する。繊維やプラスチックなどの高分子材料に別のモノマーをグラフト重合することによって、抗菌処理や消臭処理に適したマット部材とすることができる。
【図面の簡単な説明】
【００６３】
【図１】本発明の介護用ベッドの一実施の形態を説明する構成斜視図である。
【図２】マット部材の構造の一例を説明する構成斜視図である。
【図３】寝床面に横臥する利用者の部位に対応して、マット部材の外径を調節して配置する場合の説明図である。
【図４】シートを圧縮した状態で浴槽ケースを寝台枠の下部に位置させた状態を説明する構成斜視図である。
【図５】マット部材の構造の第２の実施の形態を説明する構成斜視図である。
【図６】マット部材の第３の実施の形態を説明する構成斜視図である。
【図７】マット部材の構造の第４の実施の形態を説明する構成斜視図である。
【図８】マット部材が空気式膨張性を有する場合の実施の形態を説明する構成斜視図で、第５及び第６の実施の形態を示している。
【図９】マット部材の構造の第７の実施の形態を説明する構成斜視図である。
【図１０】マット部材の構造の第８の実施の形態を説明する構成斜視図である。
【図１１】マット部材の配置の第９の実施の形態を説明する構成図である。
【図１２】図１１の実施例に用いて好適なマット部材を説明する構成斜視図である。
【図１３】介護用ベッドの第１０の実施の形態を説明する構成斜視図である。
【図１４】マット部材の第１１の実施の形態を説明する構成斜視図である。
【符号の説明】
【００６４】
１０  寝台枠
１０２  幅連結部材
１０４  縦連結部材
１６  軸受部材
１７  凹部（マット部材支持部）
１８ａ、１８ｂ、１８ｃ  アクチュエータ
１９  ストッパ部
２０、２０１、２０２、２０３  マット部材
２１、２１１、２１２  表層部
２２、２２ｂ、２２ｃ  芯部
２２ａ  軸部
２３、２３ａ、２３ｂ、２３ｃ、２３ｄ  円環体
２４  全幅マット部材
２５  胴体用マット部材
２６  両腕用マット部材
３０  浴槽ケース
【図１】
2008220609.tif 000003
【図２】
2008220609.tif 000004
【図３】
2008220609.tif 000005
【図４】
2008220609.tif 000006
【図５】
2008220609.tif 000007
【図６】
2008220609.tif 000008
【図７】
2008220609.tif 000009
【図８】
2008220609.tif 000010
【図９】
2008220609.tif 000011
【図１０】
2008220609.tif 000012
【図１１】
2008220609.tif 000013
【図１２】
2008220609.tif 000014
【図１３】
2008220609.tif 000015
【図１４】
2008220609.tif 000016